【誤訳訂正書】
【提出日】平成19年8月16日(2007.8.16)
【誤訳訂正１】
【訂正対象書類名】特許請求の範囲
【訂正対象項目名】全文
【訂正方法】変更
【訂正の内容】
【特許請求の範囲】
【請求項１】
複数の視聴メディアを提供するメディア再生装置において自動的にユーザのお気に入りの視聴メディアを再生するための方法であって、
前記複数の視聴メディアの各々について、前記メディア再生装置が該複数のメディアの各々を所定の期間において選択していた累計時間を記録するステップと、
前記記録された累計時間から決定される、前記複数のメディアの中から前記メディア再生装置が選択した頻度の高い方から所定数のメディアが記録された前記お気に入りの視聴リストを生成するステップと、
前記メディア再生装置による、前記お気に入りの視聴リストにおける前記所定数のメディアをスキャンすることを指示するメディアスキャンコマンドの受信に応じて、前記所定数のメディアの各々において一時停止しつつ前記お気に入りの視聴リストを参照するステップと、
を有する方法。
【請求項２】
請求項１記載の方法であって、
前記メディア再生装置は、テレビ、ラジオ、音楽ＣＤ演奏装置、及びインターネット・ブラウザが動作するコンピュータのうちのいずれか一つを備えること、
を特徴とする方法。
【請求項３】
請求項１記載の方法であって、
前記メディア再生装置が前記複数の視聴メディアの各メディアを選択していた累計時間を記録するステップは、
各メディアについて、当該メディアを選択した開始時刻と終了時刻とを記録し、該記録された開始時刻と終了時刻とに基づいて、前記所定の期間において、特定のメディアが選択されていた累計時間を計算すること、
を特徴とする方法。
【請求項４】
請求項３記載の方法であって、
前記記録される開始時刻と前記終了時刻とが、前記メディア再生装置と接続された時間監視装置から読み出されること、
により特徴付けられる方法。
【請求項５】
請求項１記載の方法であって、
自動的に生成された前記お気に入りの視聴リストに対し、手動でメディアを加えること、又は手動でメディアを削除すること、の少なくとも一つにより特徴付けられる方法。
【請求項６】
請求項２記載の方法であって、
前記複数の視聴メディアは、少なくとも一つの音楽ＣＤにおける複数の曲を有すること、
を特徴とする方法。
【請求項７】
請求項６記載の方法であって、
前記お気に入りの視聴リストに記録されていない視聴メディアよりも、前記お気に入りの視聴リスト記録されている視聴メディアをより頻繁に提供すること、
を特徴とする方法。
【請求項８】
請求項２記載の方法であって、
前記複数の視聴メディアは、複数のインターネット・ウェブ・サイトを有すること、
を特徴とする方法。
【請求項９】
請求項１記載の方法であって、
前記所定の期間内に視聴メディアが選択されていた時間の累計が基準時間を超えていた場合にのみ、当該視聴メディアが前記お気に入りの視聴リストに追加されること、
を特徴とする方法。
【請求項１０】
複数の視聴メディアを有するメディア再生装置において自動的にお気に入りの視聴メディアを再生するためのシステムであって、
所定の期間において前記メディア再生装置が、どの程度の時間、前記複数のメディアの各々を選択していたのかを監視する時間管理装置と、
前記時間管理装置に接続され、該時間管理装置が提供する、前記メディア再生装置が前記所定の期間において前記複数のメディアの各々を選択していた累計時間に基づいて、前記複数のメディアの中から前記メディア再生装置が選択した頻度の高い方から所定数のメディアが記録されたお気に入りの視聴リストを生成する統計管理部と、
前記お気に入りの視聴リストにおける前記所定数のメディアをスキャンすることを指示するメディアスキャンコマンドの、前記メディア再生装置による受信に応じて、前記所定数のメディアの各々において一時停止しつつ前記お気に入りの視聴リストを参照するための手段と、
を有することを特徴とするシステム。
【請求項１１】
請求項１０記載のシステムであって、
前記セレクションは、テレビのチャンネル、ラジオ局、少なくとも一つの音楽ＣＤにおける曲、及びインターネット・ウェブ・サイト、の内のいずれか一つを有すること、
を特徴とするシステム。
【請求項１２】
請求項１０記載のシステムであって、
前記視聴メディアは、少なくとも一つの音楽ＣＤにおける複数の曲を有し、
前記お気に入りの視聴リストは、該お気に入りの視聴リストにない曲よりも、当該お気に入りの視聴リストにある曲をより頻繁に提供するために、前記メディア再生装置のランダム演奏機能に影響を与えるものとして用いられること、
を特徴とするシステム。
【請求項１３】
請求項１０記載のシステムであって、
前記時間管理装置は、前記選択統計管理部に対し、前記メディア再生装置が個々の視聴メディアを選択する毎に、該メディア再生装置が複数の視聴メディアの中から該特定の視聴メディアを選択していた期間の開始時刻と終了時刻とを供給し、
前記選択統計管理部は、前記開始時刻と前記終了時刻とに基づいて、前記所定の期間内に、前記特定の視聴メディアが選択されていた累計時間を計算するための手段を含むこと、
を特徴とするシステム。
【誤訳訂正２】
【訂正対象書類名】明細書
【訂正対象項目名】全文
【訂正方法】変更
【訂正の内容】
【発明の詳細な説明】
【発明の名称】メディア再生装置における、ユーザの好みの視聴メディアの自動選択のための方法、及びシステム
【技術分野】
【０００１】
この発明は、特にテレビ、ラジオ、ＣＤプレーヤー及びインターネット・ブラウザのようなメディア再生装置におけるユーザの好みの視聴メディアの自動選択、に関するものである。
【背景技術】
【０００２】
全てではないかもしれないが、テレビ、セットトップボックス、ケーブルテレビボックス、ビデオカセットレコーダー、その他様々なものに備えられているテレビ受信機のほとんどは、テレビ受信機自身の、あるいはテレビ受信機を制御するために使用することに向いているリモコンの「アップ」と「ダウン」の矢印キーで、チャンネル番号を上昇したり下降したりするように、一連のチャンネルを一つずつ移動することを、視聴者に許可するという電子的制御を有するかたちで販売されている。この機能を使用することにより、視聴者は、チャンネル間をひと飛びして、例えば、どのような番組が演じられているのかを視聴することができるし、あるいは、単にあるチャンネルから、隣接している次のチャンネルに移動することができる。
【０００３】
米国特許第５４８１２５６号明細書は、視聴者に、どんな番組が放映されているのかということを分からせる機会を与えるために、「スキャン」キーが押されると、テレビチューナが、それぞれのチャンネルで、少々の間停止しながら多くの利用可能なチャンネル間を飛び移っていく、という動作を生じさせる「スキャン」キーを加えた、テレビの遠隔制御を開示している。もし、視聴者が視聴したいと思う何かを見たら、視聴者は再び「スキャン」キーを押す。すると、チューナは、選択されたチャンネルで停止する。「スキャン」キーは、代替として、視聴者のお気に入りチャンネルとして視聴者に指定されたチャンネルの一覧をスキャンするように設定され得る。
【発明の開示】
【発明が解決しようとする課題】
【０００４】
いくつかの既存のテレビ受信機では、オンスクリーン・メニューや特殊なボタンを介して、視聴者が、視聴者のお気に入りチャンネルの一覧をテレビにプログラミングすることができる。従って、視聴者は、セットトップボックスの、又はリモコンの「お気に入り」キーを押すことによって、用意された順に、プログラムしたお気に入りチャンネル間を移動することができる。しかしながら、多くの視聴者は、お気に入りチャンネルをテレビ受信機にプログラミングするための努力をすることを望まないかもしれないし、あるいはそのような機能をプログラミングすることができないかもしれない。このような視聴者は、もしチャンネル選択の努力が軽減され、あるいは努力が不要になれば、お気に入りチャンネル機能を利用するかもしれない。
【０００５】
よって、本発明の目的は、お気に入りチャンネルを自動的に作成するシステムと、その方法と、を提供することである。
【課題を解決するための手段】
【０００６】
この目的を達成するために、本発明によれば、お気に入りチャンネル又は視聴メディアの一覧を作成するために、視聴者が各チャンネル又は視聴メディアに同調している時間の長さを測定することにより、そして、視聴者が予め決められた時間よりも長く、例えば特定の１日、数日、１週間、数週間、１月あるいは数ヶ月の間に２時間以上、同調していた予め決められた数のチャンネルを、お気に入りチャンネル一覧に加える、というシステムが提供される。お気に入りチャンネル一覧は、一般的には、視聴者によって、先週１週間というような特定の期間において最も長い時間視聴されたチャンネルを含むだろう。視聴者には、手動で、一覧にチャンネルを加えたり、又は一覧からチャンネルを削除したりする付加機能が提供される。このシステムは、例えばテレビのチャンネル、ラジオ局、ＣＤ演奏装置における特定の曲、特に複数のＣＤを有するＣＤ演奏装置（ＣＤジュークボックス等と称されることもある）、というような、様々な受信機及びメディア再生装置における、お気に入りのチャンネル、放送局、番組、その他を、識別するために、インターネット・ブラウザや、テキスト情報、絵やグラフィックスを表示する、あるいはビデオ、音楽、ラジオ局またはテレビのチャンネル等のようなインターネットメディア番組を提供するインターネットのウェブサイトと連携して、使用されるだろう。
【発明を実施するための最良の形態】
【０００７】
本発明の他の目的と機能とは、添付の図面とともに以下の詳細な説明により明白になるだろう。しかしながら、図面は、単に図での開示という要求の結果図案化されたものであり、かつ、発明の外延を定義するものではなく、その参照は添付した請求の範囲の補足を促すためのものであるべきだということが理解されるべきである。さらに、図面には寸法が描かれる必要はなく、また、別に示さない限り、本願に開示されている構成と手順とを、単に概念的に描いたものである。図面では、複数の図を通して、同一の参照符号は、同一の要素に付されている。
【実施例１】
【０００８】
本発明を実施するための、テレビのチャンネルの受信を伴うシステムの１実施例が、図１に示されている。このシステムにおいて、テレビ受信機１０は、放送電波のような放送供給源から、あるいはＣＡＴＶ信号の供給を通してテレビ信号２０を受信する。セットトップボックス又はケーブルボックスのようなスタンドアロン装置の一部であり得る受信機１０は、利用可能な放送チャンネルの一つにテレビを同調するチューナ１５を有している。受信機１０が同調されるチャンネルの選択は、チャンネル番号を入力することにより、「アップ」/「ダウン」ボタンを使用することにより、又は図２に示されているリモコン５０のようなリモコン若しくはテレビやセットトップボックスのフロントパネル制御部にある「スキャン」キーを使用することにより実現され得る。図１に戻り、チューナ１５の出力は、視聴のために表示装置４０に供給される。
【０００９】
チャンネル統計管理部（ＣＳＭ）６０は、チューナ１５が各チャンネルに同調していた時間の長さを監視し、どのチャンネルが最も長い間視聴されたかという統計を計算する。ＣＳＭ６０は、制御部６２、各チャンネルが視聴された時間を算出するための計算部６４、メモリ６６、及び日付を提供するカレンダー６８を備えている。ＣＳＭ６０は、別々の筐体に分割されて提供されても、単一装置として提供されても、受信機１０のように別の装置の構成部分として併合された形で提供されてもかまわない。
【００１０】
ＣＳＭ６０は、チャンネルの変更を対象としてチューナ１５を監視し、視聴者がテレビを特定のチャンネルに合わせた時、あるいはテレビ受信機１０がチャンネルの変更なしにスイッチを入れられた時、クロック（あるいはタイマ）７０のような時間管理装置に、ＣＳＭ６０に送られるべきタイムスタンプの要求を送信する。ＣＳＭ６０は、受信したタイムスタンプを、チューナ１５が初めてそのチャンネルに同調させられた開始時間として記録する。チャンネルが変更された時、あるいはテレビのスイッチが切られた時、そのチャンネルへの同調の終了時間を示すタイムスタンプを要求するための第２の要求が、ＣＳＭ６０からクロック７０に送信される。あるチャンネルに関し、終了時刻から開始時刻を減算することにより、どのくらいの期間テレビ受信機１０があるチャンネルに設定されていたかを計算して記録するＣＳＭ６０に、終了時刻タイムスタンプは送信される。計算された結果であるチューナ１０があるチャンネルに同調されていたそれぞれの時間は、ＣＳＭ６０のメモリ６６に記録される。代替手法として、クロック７０は、新しいチャンネルが選択された時にゼロにセットされて起動され、かつテレビ受信機がオンになった時のチャンネルが選択されている時間を計時しても良い。
【００１１】
本発明で使用されるであろう典型的なリモコン５０が図２に示されている。リモコン５０は、チャンネル番号を入力するための数字キーのセット８０、テレビをオンにしたりオフにしたりする電源キー８２、昇順あるいは降順にチャンネルを変更するためのチャンネル選択キー８４、音量調整キー８６、そしてメニューキー８８が押された場合に表示装置４０に表示される有効なメニュー画面を移動したり、当該画面においてオプションを選択したりするための矢印キー９０ａ−９０ｄに囲まれたメニューキー８８というような、複数のユーザ入力キーを有している。リモコン５０には、それが押された場合に、全ての利用可能なチャンネルのスキャンを開始したり停止したりするための「スキャン」キー９２、図３や後に説明されている「お気に入りメニュー」画面９４のような画面を表示するオンスクリーン・メニューを、表示装置４０に表示させる「お気に入り」キー９３が提供される。画面９４は、お気に入りチャンネルをスキャンしたり、お気に入りチャンネル一覧にチャンネルを追加したり削除したりするためのオプションを提示する。これらのキーの幾つか、あるいは全ては、リモコン５０に備えられる代わりに、あるいは、それに追加する形で、テレビ受信機１０に備えられても良い。
【００１２】
「スキャン」キー９２に関連する操作は、メニューキー８８が押された時に表示装置４０に表示されるであろう、図３に示されている画面９４上のオンスクリーン「お気に入りメニュー」を使うスキャン機能を選択することである。視聴者は、矢印キー９０ａ−９０ｄを使用して、望みの選択（今回の場合ならば「スキャン」命令９６である。）へスクロールし、「入力」キー９１を押すことにより、このオプションを選ぶ。画面９４で利用可能な他のオプションは、後に説明する、「チャンネルの追加」、「チャンネルの削除」、そして「画面を閉じる」である。
【００１３】
図４は、お気に入りチャンネル一覧を作成し、編集するための一つのアルゴリズムを示しているフローチャートである。ステップ１００において、リモコン５０又は受信機１０の「スキャン」キー９２が押される。ステップ１１０において、全ての利用可能なチャンネルについて自動的にチャンネルスキャンが始まる。これにより、所定の秒数の間（この期間は、一般的には、製造業者で予め設定されている。）、最初のチャンネルが表示されることになる。ステップ１２０において、「スキャン」キー９２が押されているか（あるいは、画面９４上で「スキャン」オプションが再び選択されているか）どうか、が判断される。もし、２度目のスキャン機能が起動されていなければ、手順はステップ１１０に戻り、チューナ１０は、通常は、加算される方向の次の利用可能なチャンネルに移る。スキャンは、「スキャン」キー９２が２度目に押されるまで、あるいは選択されたチャンネルにチューナが留まっている場合において画面９４上で「スキャン」オプションが再び選択されるまで継続する。ステップ１００から１２０を実行する代わりに、視聴者は、ステップ１２５で、数字キー８０を使う等のように、いずれかの選択手段を使用して、特定のチャンネルを単に選択することができる。
【００１４】
ステップ１３０において、ＣＳＭ６０は、視聴者がどのくらいの期間、特定のチャンネルに同調していたかを監視するサブアルゴリズムを実行する。このサブアルゴリズムは、図５に示されている。サブアルゴリズムのステップ１３１において、ＣＳＭ６０はクロック７０からタイムスタンプ(t)を得て、それをＣＳＭメモリ６６のテーブルに記録する。ステップ１３２では、ＣＳＭ６０において、現在のチャンネルの開始時刻が"t"に設定され、もし存在すれば、一つ前のチャンネルの終了時刻もまた、等しく"t"に設定される。この計測では、選択されたチャンネルを得るためのスキャン機能が使用されているのに、チャンネルのスキャンに要した時間を計上していないが、スキャン時間は、無視できると推測される（さもなければ、それぞれの開始時刻と終了時刻とを、別々に記録しなければならなくなる）。いくつもの開始時刻と終了時刻とが、メモリ６６の中の、表1に示すフォーマットを有するテーブルの中に、記録されるだろう。
【表１】
2004535101.tif 000001
【００１５】
ステップ１３３において、チューナ１０が一つ前のチャンネルに合わされていた合計時間が、一つ前のチャンネルに合わされていた終了時刻から開始時刻を減算した値としてＣＳＭ６０において計算され、ＣＳＭ６０のメモリ６６に記録される。そのチャンネルを視聴していた日付もまた表１に記録されている。表１は、興味の時間（例えば、それまでの２週間、それまでの１０時間、等々）のエントリーを含んでいる。より早いエントリーは、この興味の時間内でなった時点で削除される。
【００１６】
表１に記録されている情報は、表２を生成し、かつ表２を更新するために、定期的に参照され得、その表１の情報は、「興味の時間」における、それぞれのチャンネルの視聴時間の合計を計算するために統合され得る。表１の中の、個々の視聴時間として登録された時間が表２に反映された時点で、これらのエントリーは表１から削除される。
【表２】
2004535101.tif 000002
【００１７】
図４を参照すると、ステップ１４０において、もし、「お気に入り」キー９３が、テレビセットがオフにされる以前のいずれの時点においても押されなければ、アルゴリズムは、ステップ１５０で終了する。もし、「お気に入り」キー９３が押されると、アルゴリズムは、ステップ１６０に進み、そこで、それぞれのチャンネルの、視聴されかつＣＳＭ６０の表２に記憶された累計時間は、興味の時間において、どの程度の期間チューナ１５がそれぞれのチャンネルに合わされていたかということに基づいて、所定の時間において最も視聴されたチャンネルＮ個を記載するお気に入りチャンネル一覧（ＦＣＬ）表を自動的に生成するためにＣＳＭ６０に記録される。例えば、ここでは、２週間が興味の時間であるとし、Ｎは、それまでの２週間に視聴者が最も視聴した上位１０チャンネルであるとする。記録されているであろう最大値Ｎは、一般的には、ＣＳＭ６０の製造業者かＣＳＭ６０が組み込まれているテレビセットの製造業者によって予め設定される。ＦＣＬ表はＣＳＭ６０に記憶される。表に示されるお気に入りチャンネルは、例えば最も視聴したチャンネルが最初であるというように、いかなる順でもよい。お気に入りチャンネル一覧９５が生成される時点は設計事項である。お気に入りチャンネル一覧９５は、例えば、ステップ１６０の代わりに、「お気に入り」キー９３が押される以前のステップ１３０で生成されても良い。しかし、お気に入りチャンネル一覧９５にあるチャンネルは、「お気に入り」キー９３が押される前のいずれの時刻にも変更の対象になるので、このような処理は不必要に資源を費やす。
【００１８】
一端ＦＣＬ表が作成されると、図３に示されている画面９４のような「お気に入りメニュー」が、表示装置４０上にポップアップする。画面９４は、お気に入りチャンネル一覧９５を表示し、かつ、「スキャン」命令９６、「チャンネルの追加」命令９７、「チャンネルの削除」命令９８、及び「画面を閉じる」命令９９の内のいずれかを選択するオプションを提示する。例えば、図３のお気に入りチャンネル一覧９５では、チャンネル７が最も視聴されたチャンネルであり、チャンネル２５、その他、がそれに続く。
【００１９】
視聴者は、ステップ１７０において「スキャン」命令９６を選択することによって、ステップ１８０において、お気に入りチャンネル一覧９５上の全てのお気に入りチャンネルのスキャンを開始することで、お気に入りのチャンネル一覧９５を一通り眺めることができる。従って、図３に示された例のように、チャンネル７が、最初に、少々の時間（例えば３秒間）表示され、そして、チャンネル２５が同様の時間表示され、そのように継続し、一覧９５における最初のチャンネル（チャンネル７）を放映するために、チューナ１５が、お気に入りチャンネル一覧９５の先頭へ戻るポイントであるチャンネル５０まで行く。スキャンを停止し、表示装置４０にそのとき表示されているチャンネルで留まるために、「お気に入り」キー９３を再び押す。そして画面９４は閉じる。
【００２０】
ステップ１７０において「スキャン」命令９６を選択する代わりに、ステップ１９０において、「チャンネルの追加」あるいは「チャンネルの削除」命令９７，９８のいずれかが選択されてもかまわない。それにより、ユーザに、お気に入りチャンネル一覧９５を編集することが許可される。ステップ１９０において、「チャンネルの削除」命令９８を選択すると、カーソルがお気に入りチャンネル一覧９５に現れ、「アップ」と「ダウン」の矢印キーのようなもので、除外されるチャンネルが示される項目へ向かって、カーソルは操作可能になる。ステップ２００において、削除されるべきチャンネルは、「入力」キー９１を使って選択でき、画面９４は、その後閉じる。別のチャンネルは、ステップ１４０において、「お気に入り」キー９３を再び押されることにより、除外のために選択される。特定のチャンネルが削除された後、削除されたチャンネル以外の置換チャンネルがもしあれば、それが、お気に入りチャンネル一覧９５に加えられる。新たに追加されたチャンネルは、一覧９５から削除されたチャンネルがあった位置に置かれるか、あるいは、もし削除されたチャンネルが一覧９５の最後のチャンネルでなかったら、リスト９５上の残りのチャンネルをリストの上方に移動し、置換チャンネルを一覧９５の最下位に追加しても良い。もし、ステップ１９０で、「追加」命令９７が選ばれたら、ステップ２００において、視聴者は、数字キー８０の組あるいはリモコン５０のチャンネル選択キー８４を使用したりして、追加され得るチャンネルを入力しても良い。チャンネルの追加をすることで、最も視聴しなかったチャンネル（すなわち、お気に入りチャンネル一覧上で、最も少なく同調されたチャンネル。）がお気に入りチャンネル一覧９５から落され、画面９４が閉じることになる。アルゴリズムは、ステップ２２０で終了する。
【００２１】
このシステムと方法とは、また、予め定められたサンプリング時間において、あるチャンネルが、累積視聴時間閾値よりも長く視聴あるいは選択されていた場合に限り、そのお気に入りチャンネルがお気に入りチャンネル一覧に追加されるようにデザインされている。したがって、例えば、１週間を通して、合計１０時間より多くの間視聴され、あるいは選択された場合に限り、お気に入りチャンネル一覧に、チャンネルが追加される。この例によれば、もし、チャンネルが１週間のサンプリング期間を通して、累積合計８時間視聴されていたとすると、お気に入りチャンネル一覧には追加されない。なぜならば、８時間は、１０時間という閾値を越えていないからである。しかし、もしチャンネルが、１週間のサンプリング期間を通して、累積合計３０時間視聴されていたとすると、そのチャンネルはお気に入りチャンネル一覧に追加される。なぜならば、サンプリング期間内に、閾値は超えられたからである。累積視聴時間閾値あるいは累積選択時間閾値とサンプリング期間とは、少なくとも、製造業者によって予め設定せれること又はユーザによって調整若しくは設定されること、のいずれか一方が可能であるということが意図されている。
【００２２】
この発明のシステムと方法とは、また、結合された娯楽システム、ラジオ受信機のようなテレビ以外のメディア再生装置に使用され得る。お気に入り一覧を、ユーザが特定のラジオ局に合わせている時間を計ることで、そのようなラジオ受信機のために作成することができる。この発明のシステムと方法とは、また、多数の音楽や歌等を有するＣＤを保有するＣＤプレイヤーのユーザによって選択される好みの音楽を特定するために使用するのに向いている。特に、この発明は、少数のＣＤ、典型的には５枚のＣＤ、をその中に有するＣＤプレイヤーや、２０枚以上のＣＤを保持する、しばしばＣＤジュークボックスプレーヤーと称されるような複数のＣＤを有するＣＤプレイヤーに適用できる。好みの音楽のみが演奏されるように、あるいは、ＣＤに登場する順番に音楽を演奏している場合よりもむしろ、どの音楽を演奏するのかということをＣＤプレイヤーが不規則に選ぶランダム演奏モードにおいてＣＤからＣＤプレイヤーが音楽を演奏している場合に好みの音楽が他の音楽よりもより頻繁に演奏されるように、この発明は使用される。このシステムは、また、自動的に、ユーザが特に興味を持っているインターネットのウェブサイトやウェブページを特定するために、コンピュータ（携帯不可能な装置と携帯可能な装置と、手持ちの装置又は個人デジタル補助装置のようなコンピュータあるいは携帯電話と、を含む）と、インターネット・ブラウザとを連携して使用される。これらの好みのウェブサイトは、インターネット・ブラウザの「ブックマーク」や「お気に入り」の一覧、あるいは、ストリーミング生放映や録画済映像、ラジオの生放送、テレビの生放送、生放送あるいは録画済の音楽、その他のインターネットメディア番組を配送し表示するインターネット追加プログラムのお気に入りチャンネル一覧、に加えられ得る。
【００２３】
以上、好ましい実施例に適用されているように、この発明の基本的な新規機能を開示し、説明し、指摘した。図示された装置の形式や図示された装置の詳細、及びそれらの操作に関する多くの省略、置き換え及び変更が、本発明の本質を逸脱しない範囲で、当業者によって適用され得ることが理解されるだろう。例えば、これらの要素の組み合わせの全て、かつ/または、同様の結果を奏する実質的に同様の手段で実質的に同様の機能を実行する方法手順が本発明の範囲に属するということは、明確に意図されている。さらに、構成、かつ/または、要素、かつ/または、いずれかの開示された形式または本発明の実施例と結合されて示された、かつ/または説明された方法手順は、一般的な設計事項として、他のいずれかの、開示され、または説明され、または示唆された形式または実施例に、組み込まれても良い。
【図面の簡単な説明】
【００２４】
【図１】本発明の実施例におけるシステム及び方法のブロック図である。
【図２】お気に入りチャンネル一覧を変更するための、かつ、本発明の実施例によって生成されたお気に入りチャンネル一覧にあるチャンネルをスキャンするための、リモコンの例を現している。
【図３】お気に入りチャンネルの一覧を見ることができ、お気に入りチャンネルを通してのスキャンを開始でき、あるいはお気に入りチャンネル一覧を編集することのできる、オンスクリーン・メニューの一例を現している。
【図４】本発明による、お気に入りチャンネル一覧を生成し、かつ編集するための一つの方法を現しているフローチャートである。
【図５】本発明の実施例による、図４におけるステップ１３０で実行される、サブアルゴリズムのフローチャートである。